(57)【要約】【課題】複数のＬＥＤヘッドを一体化することで作業効率を向上させることができるＬＥＤユニット集合体を提供する。【解決手段】ＬＥＤユニット集合体１００は、複数のＬＥＤヘッド１１０、複数の支持部材１２０およびベースフレーム１３０を備える。複数のＬＥＤヘッド１１０は、水平方向に並んで配され、ＬＥＤをアレイ状に配設してそれぞれ構成される。複数の支持部材１２０は、複数のＬＥＤヘッド１１０のそれぞれを支持する。ベースフレーム１３０は、複数の支持部材１２０のそれぞれを固定する。【選択図】図２
2014048368.tif 000002
【特許請求の範囲】
【請求項１】
水平方向に並んで配され、ＬＥＤをアレイ状に配設してそれぞれ構成される複数のＬＥＤヘッドと、
前記複数のＬＥＤヘッドのそれぞれを支持する複数の支持部材と、
前記複数の支持部材のそれぞれを固定するベースフレームと、
を備えるＬＥＤユニット集合体。
【請求項２】
前記複数のＬＥＤヘッドのそれぞれを駆動するＬＥＤドライバ基板
をさらに備え、
前記ＬＥＤドライバ基板は、前記ベースフレームに固定される
請求項１に記載のＬＥＤユニット集合体。
【請求項３】
前記ベースフレームは、感光体を有するプロセスユニットおよび前記プロセスユニットに対向して配される現像ユニットの少なくとも一方の枠体に沿う形状を呈する
請求項１または２に記載のＬＥＤユニット集合体。
【請求項４】
前記複数の支持部材は、前記プロセスユニットおよび前記現像ユニットの少なくとも一方の枠体に沿う形状を呈する
請求項１〜３のいずれか１項に記載のＬＥＤユニット集合体。
【請求項５】
水平方向に並んで配される複数のプロセスユニットと、
前記複数のプロセスユニットのそれぞれに対向して配される複数の現像ユニットと、
前記複数のプロセスユニットおよび前記複数の現像ユニットに対向して配される請求項１〜４のいずれか１項に記載のＬＥＤユニット集合体と、
を備える画像形成装置。
【発明の詳細な説明】
【技術分野】
【０００１】
本発明は、画像形成装置に対して着脱可能なＬＥＤユニット集合体およびこのＬＥＤユニット集合体を備える画像形成装置に関する。
【背景技術】
【０００２】
電子写真法を利用した画像形成装置における露光手段として、多数の発光ダイオード（ＬＥＤ）を直線状に配設して構成されるＬＥＤアレイによって、感光体をライン状に走査するように構成されたＬＥＤヘッドがある。
【０００３】
ＬＥＤアレイは、所定数のＬＥＤがライン状に配設されてなるＬＥＤチップを、さらに複数直列または千鳥状にならべて所定長さに構成される。このようなＬＥＤヘッドを、タンデム式のカラー画像形成装置に適用することも行われている。
【０００４】
ＬＥＤヘッドを用いた画像形成装置では、高品位の画像形成を行うためには、ＬＥＤヘッドを感光体ドラムに対して高い精度で設置する必要がある。
【０００５】
そこで、複数の画像形成ユニットのＬＥＤヘッドを高い精度で設置することができる構成が開示されている（例えば、特許文献１参照。）。
【先行技術文献】
【特許文献】
【０００６】
【特許文献１】特開２００７−０６９５２８号公報
【発明の概要】
【発明が解決しようとする課題】
【０００７】
しかしながら、特許文献１に開示された構成では、ＬＥＤヘッドを一つずつ画像形成装置に対して位置決めしなければならないため、作業が煩雑になるという問題があった。
【０００８】
そこで、本発明の目的は、上記課題に鑑み、複数のＬＥＤヘッドを一体化することで作業効率を向上させることができるＬＥＤユニット集合体を提供することにある。
【課題を解決するための手段】
【０００９】
本発明に係るＬＥＤユニット集合体は、複数のＬＥＤヘッド、複数の支持部材およびベースフレームを備える。
【００１０】
複数のＬＥＤヘッドは、水平方向に並んで配され、ＬＥＤをアレイ状に配設してそれぞれ構成される。複数の支持部材は、複数のＬＥＤヘッドのそれぞれを支持する。ベースフレームは、複数の支持部材のそれぞれを固定する。
【００１１】
この構成では、ユーザは、ベースフレームを把持すれば、複数のＬＥＤヘッドを一括して操作することができるため、画像形成装置への着脱操作を容易に行うことができる。また、この構成では、複数のＬＥＤヘッドが複数の支持部材を介して一つのベースフレームに固定されるため、画像形成装置への装着前にハーネス処理を行うことができるため、作業効率の向上を図ることができる。
【発明の効果】
【００１２】
本発明に係るＬＥＤユニット集合体は、複数のＬＥＤヘッドを一体化することで作業効率を向上させることができる。
【図面の簡単な説明】
【００１３】
【図１】本発明の第１実施形態に係る画像形成装置の主要な構成を示す図である。
【図２】本発明の第１実施形態に係るＬＥＤユニット集合体の構成を示す図である。
【図３】本発明の第２実施形態に係るＬＥＤユニット集合体の構成を示す図である。
【図４】本発明の第３実施形態に係るＬＥＤユニット集合体の構成を示す図である。
【図５】本発明の第４実施形態に係るＬＥＤユニット集合体の構成を示す図である。
【図６】本発明の第５実施形態に係るＬＥＤユニット集合体の構成を示す図である。
【発明を実施するための形態】
【００１４】
以下、本発明の実施形態に係るＬＥＤユニット集合体を、図面を参照しつつ詳細に説明する。
【００１５】
最初に、本発明の第１実施形態について説明する。
【００１６】
図１は、本発明の第１実施形態に係る画像形成装置１０の主要な構成を示す図である。
【００１７】
画像形成装置１０は、ＬＥＤユニット集合体１００、プロセスユニット２００Ｙ，２００Ｍ，２００Ｃ，２００Ｋ（以下、プロセスユニット２００とする。）、現像ユニット３００Ｙ，３００Ｍ，３００Ｃ，３００Ｋ（以下、現像ユニット３００とする。）および１次転写ユニット４００を備える。
【００１８】
ＬＥＤユニット集合体１００は、プロセスユニット２００および現像ユニット３００に対向して配される。ＬＥＤユニット集合体１００については、図２以降で詳細に説明する。図１においては、ＬＥＤユニット集合体１００の全体の構成がわかるように、画像形成装置１０に装着される前の状態を示す。
【００１９】
プロセスユニット２００は、水平方向に並んで配される。プロセスユニット２００は、感光体、帯電器およびクリーニング器を一体的に包含している。現像ユニット３００は、プロセスユニット２００のそれぞれに対向して配される。１次転写ユニット４００は、プロセスユニット２００に対向して配される。
【００２０】
画像形成装置１０においては、上から、１次転写ユニット４００、プロセスユニット２００、現像ユニット３００、ＬＥＤユニット集合体１００、の順に配される。
【００２１】
図２は、本発明の第１実施形態に係るＬＥＤユニット集合体１００の構成を示す図である。
【００２２】
ＬＥＤユニット集合体１００は、ＬＥＤヘッド１１０Ｙ，１１０Ｍ，１１０Ｃ，１１０Ｋ（以下、ＬＥＤヘッド１１０とする。）、支持部材１２０Ｙ，１２０Ｍ，１２０Ｃ，１２０Ｋ（以下、支持部材１２０とする。）およびベースフレーム１３０を備える。
【００２３】
ＬＥＤヘッド１１０は、水平方向に並んで配される。ＬＥＤヘッド１１０は、ＬＥＤをアレイ状に配設してそれぞれ構成される。ＬＥＤヘッド１１０は、プロセスユニット２００における感光体をライン状に走査するように構成される。ＬＥＤヘッド１１０は、機械的な駆動機構を必要とせず、また、液晶素子のようにバックライトを必要としないことから、画像形成装置１０の小型化および省電力化を図ることができる。
【００２４】
支持部材１２０は、ＬＥＤヘッド１１０のそれぞれを支持する。具体的には、支持部材１２０は、ＬＥＤヘッド１１０をネジ止め固定することで、ＬＥＤヘッド１１０のそれぞれを支持する。したがって、支持部材１２０は、ＬＥＤヘッド１１０を所定位置に所定姿勢に支持することができる。支持部材１２０は、樹脂材料から構成される。
【００２５】
ベースフレーム１３０は、支持部材１２０のそれぞれを固定する。ベースフレーム１３０は、支持部材１２０と一体的に成型される。したがって、ベースフレーム１３０は、支持部材１２０と同様に、樹脂材料から構成される。
【００２６】
この構成では、ユーザは、ベースフレーム１３０を把持すれば、ＬＥＤヘッド１１０を一括して操作することができるため、画像形成装置１０への着脱操作を容易に行うことができる。また、この構成では、ＬＥＤヘッド１１０が支持部材１２０を介して一つのベースフレーム１３０に固定されるため、画像形成装置１０への装着前にハーネス処理を行うことができるため、作業効率の向上を図ることができる。
【００２７】
次に、本発明の第２実施形態について説明する。なお、本実施形態以降の各実施形態においては、第１実施形態において説明した内容を適宜省略する。
【００２８】
図３は、本発明の第２実施形態に係るＬＥＤユニット集合体１００の構成を示す図である。
【００２９】
ＬＥＤユニット集合体１００は、ＬＥＤドライバ基板１４０をさらに備えると好ましい。ＬＥＤドライバ基板１４０は、ＬＥＤヘッド１１０のそれぞれを駆動する。ＬＥＤドライバ基板１４０は、ベースフレーム１３０に固定される。
【００３０】
この構成では、画像形成装置１０にＬＥＤユニット集合体１００を装着する前に、機外でＬＥＤヘッド１１０とＬＥＤドライバ基板との間のハーネス処理を予め行っておくことができるため、作業効率の向上をさらに図ることができる。
【００３１】
次に、本発明の第３実施形態について説明する。
【００３２】
図４は、本発明の第３実施形態に係るＬＥＤユニット集合体１００の構成を示す図である。
【００３３】
プロセスユニット２００は、ベースフレーム１３０に向けて突出する突起部２１０Ｙ，２１０Ｃ，２１０Ｋ（以下、突起部２１０とする。）を有する。ベースフレーム１３０および支持部材１２０（１２０Ｙ，１２０Ｃ，１２０Ｋ）は、突起部２１０と嵌合可能な形状に形成されている。また、ベースフレーム１３０および支持部材１２０は、現像ユニット３００の枠体に沿う形状に形成されている。
【００３４】
すなわち、ベースフレーム１３０は、プロセスユニット２００および現像ユニット３００の少なくとも一方の枠体に沿う形状を呈すると好ましい。また、支持部材１２０は、プロセスユニット２００および現像ユニット３００の少なくとも一方の枠体に沿う形状を呈すると好ましい。
【００３５】
この構成では、ＬＥＤユニット集合体１００は、プロセスユニット２００および現像ユニット３００の少なくとも一方の枠体に沿って画像形成装置１０に対して着脱することができる。したがって、ＬＥＤユニット集合体１００に対する作業効率の向上をさらに図ることができる。
【００３６】
次に、本発明の第４実施形態について説明する。
【００３７】
図５は、本発明の第４実施形態に係るＬＥＤユニット集合体１００の構成を示す図である。
【００３８】
プロセスユニット２００は、ベースフレーム１３０に向けて屈曲する形状部２２０Ｙ，２２０Ｍ，２２０Ｃ，２２０Ｋ（以下、形状部２２０とする。）を有する。現像ユニット３００は、ベースフレーム１３０に向けて突出する突起部３２０Ｙ，３２０Ｍ，３２０Ｃ，３２０Ｋ（以下、突起部３２０とする。）を有する。
【００３９】
ベースフレーム１３０および支持部材１２０は、形状部２２０と嵌合可能な形状に形成されている。また、ベースフレーム１３０および支持部材１２０は、突起部３２０に沿う形状に形成されている。
【００４０】
すなわち、ベースフレーム１３０は、プロセスユニット２００および現像ユニット３００の少なくとも一方の枠体に沿う形状を呈すると好ましい。また、支持部材１２０は、プロセスユニット２００および現像ユニット３００の少なくとも一方の枠体に沿う形状を呈すると好ましい。
【００４１】
この構成では、ＬＥＤユニット集合体１００は、プロセスユニット２００および現像ユニット３００の少なくとも一方の枠体に沿って画像形成装置１０に対して着脱することができる。したがって、ＬＥＤユニット集合体１００に対する作業効率の向上をさらに図ることができる。
【００４２】
次に、本発明の第５実施形態について説明する。
【００４３】
図６は、本発明の第５実施形態に係るＬＥＤユニット集合体１００の構成を示す図である。
【００４４】
プロセスユニット２００は、ベースフレーム１３０に向けて屈曲する形状部２３０Ｙ，２３０Ｍ，２３０Ｃ，２３０Ｋ（以下、形状部２３０とする。）を有する。現像ユニット３００は、ベースフレーム１３０に向けて突出する突起部３３０Ｍ，３３０Ｃ，３３０Ｋ（以下、突起部３３０とする。）を有する。
【００４５】
ベースフレーム１３０は、プロセスユニット２００に向けて屈曲する形状部１３１，１３２，１３３，１３４を有する。形状部１３１〜１３４は、形状部２３０および突起部３３０に沿う形状に形成されている。
【００４６】
すなわち、ベースフレーム１３０は、プロセスユニット２００および現像ユニット３００の少なくとも一方の枠体に沿う形状を呈すると好ましい。また、支持部材１２０は、プロセスユニット２００および現像ユニット３００の少なくとも一方の枠体に沿う形状を呈すると好ましい。
【００４７】
この構成では、ＬＥＤユニット集合体１００は、プロセスユニット２００および現像ユニット３００の少なくとも一方の枠体に沿って画像形成装置１０に対して着脱することができる。したがって、ＬＥＤユニット集合体１００に対する作業効率の向上をさらに図ることができる。
【００４８】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４９】
１０−画像形成装置
１００−ＬＥＤユニット集合体
１１０−ＬＥＤヘッド
１２０−支持部材
１３０−ベースフレーム
１４０−ＬＥＤドライバ基板
２００−プロセスユニット
３００−現像ユニット
【図１】
2014048368.tif 000003
【図２】
2014048368.tif 000004
【図３】
2014048368.tif 000005
【図４】
2014048368.tif 000006
【図５】
2014048368.tif 000007
【図６】
2014048368.tif 000008